(57)【要約】【課題】突っ張り棒等を用いて安定した状態に設置できる収納バスケットを提供する。【解決手段】本発明は、上端に開口部２０を有するボックス状のバスケット本体２を備え、バスケット本体２の前後壁２２に外方に突出するように取っ手部３がそれぞれ設けられた収納バスケットを対象とする。取っ手部３の先端部に、その先端部を下方に屈曲するようにして下方屈曲部３１が形成される。下方屈曲部３１を含む取っ手部３が、水平な支持バーに対して上側から掛止可能なフック部４として機能するように構成される。【選択図】図１
2019081562.tif 000002
【特許請求の範囲】
【請求項１】
上端に開口部を有するボックス状のバスケット本体を備え、前記バスケット本体の前後壁に外方に突出するように取っ手部がそれぞれ設けられた収納バスケットであって、
前記取っ手部の先端部に、その先端部を下方に屈曲するようにして下方屈曲部が形成され、
前記下方屈曲部を含む前記取っ手部が、水平な支持バーに対して上側から掛止可能なフック部として機能するように構成されていることを特徴とする収納バスケット。
【請求項２】
前記フック部は、前記バスケット本体の幅方向に沿って延びるように形成されている請求項１に記載の収納バスケット。
【請求項３】
前記フック部は、前記バスケット本体の幅方向のほぼ全域に連続して形成されている請求項１または２に記載の収納バスケット。
【請求項４】
前記フック部の内側には、支持バーの外周面に沿うように配置可能な円弧状の適合凹部が形成されている請求項１〜３のいずれか１項に記載の収納バスケット。
【請求項５】
前記適合凹部は、前記バスケット本体の幅方向に間隔をおいて複数形成されている請求項４に記載の収納バスケット。
【請求項６】
前記フック部の内周面に沿ってリブが形成されるとともに、
そのリブによって前記適合凹部が形成されている請求項４または５に記載の収納バスケット。
【請求項７】
請求項１〜６のいずれか１項に記載の収納バスケットが、一対の支持バーによって支持されるようにした収納バスケット支持構造であって、
前記一対の支持バーが互いに平行に前後に間隔をおいて水平に配置されるとともに、
前記収納バスケットにおける前記前後壁の各フック部が、前記一対の支持バーにそれぞれ掛止されることによって、前記収納バスケットが前記一対の支持バーに着脱自在に支持されていることを特徴とする収納バスケット支持構造。
【請求項８】
前記一対の支持バーは、突っ張り棒によって構成されている請求項７に記載の収納バスケット支持構造。
【請求項９】
前記一対の支持バーに、複数の前記収納バスケットが幅方向に並んで配置された状態でそれぞれ支持されている請求項７または８に記載の収納バスケット支持構造。
【発明の詳細な説明】
【技術分野】
【０００１】
この発明は、例えば衣類、キッチン用品、食料品、洗面用品、バス用品、トイレ用品等の収納物を収納して保管することができる収納バスケットおよび収納バスケット支持構造に関する。
【背景技術】
【０００２】
肌着、靴下、Ｔシャツ、ズボン類等の衣類をクローゼット、ロッカー等に保管するような場合、下記特許文献１，２に示すような収納バスケット（収納ボックス）に衣類を収納し、その衣類入りの収納バスケットをクローゼットやロッカーに収容して保管するような収納方法が日常的に行われている。ところが、このような収納方法では、収納バスケットをクローゼットにおける床板や棚板上に設置する必要があるため、設置場所が制約されてしまう。例えばクローゼット内の上部に大きな空きスペースが存在していたとしても、その空きスペースに棚板等の支持部位がないと、収納バスケットを設置できないため、使用者にとってスペースの有効利用を図ることができず所望の収納形態を実現することが困難になってしまう。
【０００３】
そこで、クローゼット内の空きスペースにおいて対向する内壁面間に、例えば一対の突っ張り棒を前後に間隔をおいて平行に架け渡して、その前後一対の突っ張り棒を支持バー（支持部位）として、収納バスケットを載置したり、あるいは前後一対の支持バーに、収納バスケット外周のフランジ部を引っ掛けることにより、収納バスケットを上記所望の空きスペース内に設置するような収納方法が検討されている。
【先行技術文献】
【特許文献】
【０００４】
【特許文献１】実用新案登録第３０４４７２０号
【特許文献２】特許第３８５７７５９号
【発明の概要】
【発明が解決しようとする課題】
【０００５】
しかしながら、上記従来の収納バスケットは本来、床板や棚板上に載置するものであるため、既述したように、突っ張り棒のような支持バーに従来の収納バスケットを載置したり引っ掛けたりすると、収納バスケットを安定した状態に設置することができない。このため支持バー上の収納バスケット内に対し収納物を出し入れする際や、誤って収納バスケットに接触してしまった際等に、不用意にも収納バスケットが位置ずれしてしまったり、場合によっては収納バスケットが落下してしまうおそれがあり、使い勝手が悪く、良好な利便性を得ることが困難であるという課題があった。
【０００６】
この発明は、上記の課題に鑑みてなされたものであり、突っ張り棒等の支持バーに対し安定した状態に保持できて、良好な利便性を得ることができる収納バスケットおよび収納バスケット支持構造を提供することを目的とする。
【課題を解決するための手段】
【０００７】
上記課題を解決するため、本発明は、以下の手段を備えるものである。
【０００８】
［１］  上端に開口部を有するボックス状のバスケット本体を備え、前記バスケット本体の前後壁に外方に突出するように取っ手部がそれぞれ設けられた収納バスケットであって、
前記取っ手部の先端部に、その先端部を下方に屈曲するようにして下方屈曲部が形成され、
前記下方屈曲部を含む前記取っ手部が、水平な支持バーに対して上側から掛止可能なフック部として機能するように構成されていることを特徴とする収納バスケット。
【０００９】
［２］前記フック部は、前記バスケット本体の幅方向に沿って延びるように形成されている前項１に記載の収納バスケット。
【００１０】
［３］前記フック部は、前記バスケット本体の幅方向のほぼ全域に連続して形成されている前項１または２に記載の収納バスケット。
【００１１】
［４］前記フック部の内側には、支持バーの外周面に沿うように配置可能な円弧状の適合凹部が形成されている前項１〜３のいずれか１項に記載の収納バスケット。
【００１２】
［５］前記適合凹部は、前記バスケット本体の幅方向に間隔をおいて複数形成されている前項４に記載の収納バスケット。
【００１３】
［６］前記フック部の内周面に沿ってリブが形成されるとともに、
そのリブによって前記適合凹部が形成されている前項４または５に記載の収納バスケット。
【００１４】
［７］前項１〜６のいずれか１項に記載の収納バスケットが、一対の支持バーによって支持されるようにした収納バスケット支持構造であって、
前記一対の支持バーが互いに平行に前後に間隔をおいて水平に配置されるとともに、
前記収納バスケットにおける前記前後壁の各フック部が、前記一対の支持バーにそれぞれ掛止されることによって、前記収納バスケットが前記一対の支持バーに着脱自在に支持されていることを特徴とする収納バスケット支持構造。
【００１５】
［８］前記一対の支持バーは、突っ張り棒によって構成されている前項７に記載の収納バスケット支持構造。
【００１６】
［９］前記一対の支持バーに、複数の前記収納バスケットが幅方向に並んで配置された状態でそれぞれ支持されている前項７または８に記載の収納バスケット支持構造。
【発明の効果】
【００１７】
発明［１］の収納バスケットによれば、前後壁に設けられた取っ手部を、フック部として構成しているため、その前後壁のフック部を突っ張り棒等の支持バーに掛止することによって、支持バーに対して安定した状態に保持させることができる。このためバスケット本体に対し収納物を出し入れする際等に、不用意な位置ずれが生じる等の不具合を確実に防止できて、使い勝手が良く、良好な利便性を得ることができる。なお本発明の収納バスケットは、支持バーに対し上方に持ち上げれば、支持バーに対するフック部の係合が解除されるため、支持バーから簡単に取り外すことができる。
【００１８】
発明［２］［３］の収納バスケットによれば、幅方向の広い範囲で支持バーに支持させることができるため、より安定した状態に保持させることができ、位置ずれ等の不具合をより確実に防止することができる。
【００１９】
発明［４］［５］の収納バスケットによれば、フック部内周面の嵌合凹部を支持バーに適合状態に嵌め込むことができるため、より安定した状態に保持させることができ、支持バーに対する位置ずれを、より確実に防止でき、位置ずれや落下をより確実に防止できて、より一層利便性を向上させることができる。
【００２０】
発明［６］の収納バスケットによれば、フック部の内側に形成されるリブを嵌合凹部として利用するものであるため、嵌合凹部を別途形成する場合と比較して、構造の簡素化を図ることができ、収納バスケット１の製作をより一層簡単かつ効率良く行うことができる。
【００２１】
発明［７］［８］の収納バスケット支持構造によれば、収納バスケットがその前後壁のフック部が突っ張り棒等の支持バーに掛止されているため、収納バスケットが支持バーに対し安定した状態に支持されている。従って収納バスケットに対し収納物を出し入れする際等に、収納バスケットに不用意な位置ずれが生じる等の不具合を確実に防止できて、使い勝手が良く、良好な利便性を得ることができる。
【００２２】
発明［９］の収納バスケット支持構造によれば、一対の突っ張り棒等の支持バーによって、複数の収納バスケットを安定した状態で確実に配置することができる。
【図面の簡単な説明】
【００２３】
【図１】図１はこの発明の実施形態である収納バスケットの使用状態を説明するための斜視図である。
【図２】図２は実施形態の収納バスケットを示す斜視図である。
【図３】図３は実施形態の収納バスケットを示す側面図である。
【図４】図４は実施形態の収納バスケットを示す平面図である。
【図５】図５は実施形態の収納バスケットを示す底面図である。
【図６】図６は実施形態の収納バスケットの取っ手部周辺を拡大して示す側面断面図である。
【図７】図７はこの発明の変形例である収納バスケットを示す図であって、図（ａ）は斜視図、図（ｂ）は側面図である。
【図８】図８はこの発明の収納バスケットにおける使用状態の変形例を説明するための斜視図である。
【図９】図９はこの発明の収納バスケットにおける使用状態の他の変形例を説明するための斜視図である。
【発明を実施するための形態】
【００２４】
図１はこの発明の実施形態である収納バスケットの使用状態を説明するための斜視図、図２は実施形態の収納バスケットを示す斜視図、図３は側面図、図４は平面図、図５は底面図である。なお以下の説明においては、発明の理解を容易にするために、図３の平面図に向かって左右方向（長手方向）を「前後方向」とし、上下方向（短手方向）を「幅方向、両側方向または左右方向」として説明する。言うまでもなく本発明において、前後方向や幅方向は限定されるものではない。
【００２５】
図１〜図５に示すように、この発明の実施形態である収納バスケット１は、合成樹脂の一体成形品によって構成されている。
【００２６】
この収納バスケット１は、上端が開放された底浅のボックス状のバスケット本体２を備えている。すなわちこのバスケット本体２は、平面視長方形状の底壁２１と、その底壁２１の前縁部および後縁部に立ち上がり状に一体に形成された前後壁２２と、底壁２１の両側縁部に立ち上がり状に一体に形成された両側壁（左右壁）２３とを備え、底壁２１の上面側が、前後壁２２および両側壁２３等の周囲四壁によって周囲が囲まれている。さらにバスケット本体２は、その上端面全域が開口部２０として構成されており、その上端開口部２０を介してバスケット本体２の内部に対し、衣類等の収納物を出し入れできるように構成されている。
【００２７】
またバスケット本体２の両側壁２３には、貫通孔２４が多数形成されており、この貫通孔２４によってバスケット本体２の内部における通気性等を確保するようにしている。
【００２８】
図６は本実施形態の収納バスケットにおける取っ手部周辺を拡大して示す側面断面図であって、図４のVI−VI線断面に相当する断面図である。
【００２９】
図１〜図６に示すように本実施形態の収納バスケット１において、バスケット本体２における前後壁２２の上端縁部には、外方（前後方向）に突出するように取っ手部３が一体に形成されるとともに、両側壁２３の上端縁部には、外方（両側方向）に少量突出するように側方突出部２５が一体に形成されている。本実施形態においては、取っ手部３は、前後壁２２における幅方向（左右方向）の全域にわたって連続して形成されるとともに、側方突出部２５は、両側壁２３における前後方向の全域にわたって連続して形成されている。換言すると、取っ手部３および側方突出部２５は、バスケット本体２における上端開口縁部に周方向に連続して形成されており、バスケット本体２のフランジとして捉えることもできる。
【００３０】
図５に示すように取っ手部３の先端部には、その先端部が下方に屈曲するようにして下方屈曲部３１が形成されている。本実施形態においては、この下方屈曲部３１は、取っ手部３の一部を構成するものであり、取っ手部３に含まれている。
【００３１】
本実施形態においては後に詳述するように、この取っ手部３は、突っ張り棒９等の支持バーに掛止することができるフック部４として機能するものであり、フック部４を兼用している。
【００３２】
取っ手部３の内側（下方側）には、取っ手部３の内周面に沿って、詳細には取っ手部３の内周面から前後壁２２の外周面の一部にかけて補強リブ４１が一体に形成されている。この補強リブ４１は、フック部４における幅方向に間隔をおいて複数形成されている。つまり複数の補強リブ４１が、フック部４の幅方向の全域にわたって配置されている。
【００３３】
図５に示すように補強リブ４１の下縁部は、後述する突っ張り棒９の外周面における上側半分に対応して半円弧状に形成されている。従って補強リブ４１の下縁部は、突っ張り棒９の外周面に適合状態に沿い得る適合凹部４２として構成されている。
【００３４】
以上のように構成された本実施形態の収納バスケット１の使用方法の一例について説明する。例えばクローゼット８内の上部に、棚等の支持部位が存在しない空きスペースＳがあるような場合において、その空きスペースＳに突っ張り棒９を用いて収納バスケット１を設置する場合について説明する。
【００３５】
まず図１に示すようにクローゼット８内における対向する内壁（両側壁）８１間に、前後一対（２本）の突っ張り棒９を周知の手段で取り付ける。このとき、一対の突っ張り棒９は、前後方向に間隔をおいて互いに平行に、かつ水平に配置するとともに、前後の突っ張り棒９は、互いに同じ高さ位置となるように配置する。さらに一対の突っ張り棒９間の間隔（前後間隔）は、収納バスケット１における前後のフック部４間の間隔に対応して配置する。
【００３６】
このように配置された一対の突っ張り棒９に対し、収納バスケット１の後側のフック部４を、それに対応する後側の突っ張り棒９に上方から掛止するとともに、前側のフック部４を、それに対応する前側の突っ張り棒９に上方から掛止する。これにより収納バスケット１はその前後両側がフック部４を介して一対の突っ張り棒９に支持されて空きスペースＳ内に水平姿勢で配置される。
【００３７】
さらに図１の例では、２つの収納バスケット１を、前後一対の突っ張り棒９に左右方向（幅方向）に並んで配置されるように設置している。
【００３８】
なお本実施形態においては必要に応じて、前後一対の突っ張り棒９に３つ以上のバスケット１を上記と同様にして幅方向に並べて設置するようにしても良い。さらに前後一対の突っ張り棒９を上下方向に複数段設けて、各段の突っ張り棒９に収納バスケット１を上記と同様にしてそれぞれ設置することによって、収納バスケット１を上下方向（縦方向）に間隔をおいて並べて設置するようにしても良い。
【００３９】
こうして空きスペースＳに設置された収納バスケット１に対し、使用者は上端開口部２０を介して衣類等の収納物を出し入れすることにより、収納物の保管や取出を行うことができる。
【００４０】
一方、収納バスケット１自体を取り外す場合には、突っ張り棒９に対し収納バスケット１を上方に離間させるように持ち上げれば良い。そうすると、フック部４が突っ張り棒９から外れて、収納バスケット１を取り出すことができる。
【００４１】
なお言うまでもなく、使用者は必要に応じて収納物が収納された状態のままで収納バスケット１を、一対の突っ張り棒９に掛止して空きスペースＳに設置したり、一対の突っ張り棒９（空きスペースＳ）から取り出したりすることもできる。
【００４２】
以上のように本実施形態においては、収納バスケット１の前後に設けられた取っ手部３を、フック部４として構成しているため、その前後のフック部４を突っ張り棒９に掛止することによって、収納バスケット１を突っ張り棒９に対し安定した状態に保持させることができる。このため突っ張り棒９上の収納バスケット１に対し衣類等の収納物を出し入れする際等に、収納バスケット１が不用意に位置ずれしてしまったり、落下してしまう等の不具合を確実に防止することができる。従って収納バスケット１に対する収納物の出し入れ操作を簡単かつスムーズに行うことができ、使い勝手が良く、良好な利便性を得ることができる。
【００４３】
さらに本実施形態の収納バスケット１によれば、フック部４の内周面に、突っ張り棒９の外周面に沿い得る適合凹部４２を形成しているため、この嵌合凹部４２を突っ張り棒９に適合状態に嵌め込むことができる。このため収納バスケット１をより安定した状態に保持させることができ、突っ張り棒９に対する収納バスケット１の位置ずれを、より確実に防止できるため、収納バスケット１の位置ずれや落下をより確実に防止できて、より一層利便性を向上させることができる。
【００４４】
その上さらに本実施形態の収納バスケット１によれば、フック部４を収納バスケット１の幅方向の全域にわたって連続して形成するとともに、フック部４内に設けられる複数の適合凹部４２（補強リブ４１）を幅方向全域にわたって形成しているため、収納バスケット１における幅方向の全域を突っ張り棒９によって確実に支持させることができ、収納バスケット１をより一層安定した状態に保持させることができ、位置ずれ等の不具合をより一層確実に防止することができる。
【００４５】
また本実施形態の収納バスケット１においては、取っ手部３をフック部４として利用するものであるため、フック部４を取っ手部３とは別に形成する場合と比較して、収納バスケット自体の構造の簡素化を図ることができ、収納バスケット１の製作を簡単かつ効率良くに行うことができ、ひいてはコストの削減を図ることができる。
【００４６】
さらに本実施形態の収納バスケット１においては、取っ手部３の内面に形成される補強リブ４１を嵌合凹部４２として利用するものであるため、嵌合凹部４２を補強リブ４１とは別に形成する場合と比較して、構造の簡素化を図ることができ、収納バスケット１の製作をより一層簡単かつ効率良くに行うことができる。
【００４７】
また本実施形態の収納バスケット１は、取っ手部３が外方に突出するように形成しているため、保管時や販売時等にスタッキングする際に、上下に隣接する収納バスケット１間において取っ手部３が邪魔になるようなことがなく、複数の収納バスケット１をコンパクトに積み重ねることができる。
【００４８】
なお上記実施形態においては、収納バスケット１における前後壁２２の上端縁にフック部４（取っ手部３）を形成する場合を例に挙げて説明したが、本発明において、フック部４の高さ位置は特に限定されるものではない。例えばフック部４を前後壁２２の上端よりも少し低い位置に形成したり、前後壁２２の中間高さ位置に形成したり、前後壁２２の下部に形成するようにしても良い。
【００４９】
さらに上記実施形態においては、収納バスケット１における一方の前後壁（例えば前壁）２２と他方の前後壁（例えば後壁）２２とが同じ高さに形成されているが、それだけに限られず、本発明においては、前壁と後壁とを異なる高さに形成するようにしても良い。例えば図７に示す収納バスケット１のように、後壁２２に比べて前壁２２を低く形成する一方、両側壁２３の後半部を後壁２２の高さと同じに設定し、両側壁２３の前半部の高さを次第に低くなるように形成して、両側壁２３の前端部の高さを前壁２２と同じ高さに設定するようにしても良い。このような収納バスケット１によれば、上端開口部２０が上方だけでなく斜め前方にも開放されるため、比較的高い位置に設置するような場合には、収納バスケット１に対する収納物の出し入れ操作をより一層スムーズに行うことができる。なお同図に示す収納バスケット１を採用する場合には、収納バスケット１を水平に配置するために、一対の突っ張り棒（支持バー）９のうち、前方の突っ張り棒９を後方の突っ張り棒９よりも低い位置に配置する必要がある。
【００５０】
また上記実施形態においては、取っ手部３における下方屈曲部３１を側面視円弧状に形成しているが、下方屈曲部３１は下方に屈曲されるような形状であれば、どのような形状に形成されていても良い。例えば図７（ｂ）に示すように、下方屈曲部３１を下方にほぼ直角に折り曲げるようにして直線形状に形成するようにしても良い。また下方屈曲部３１は取っ手部３と必ずしも一体に形成する必要がなく、別体で形成しても良い。
【００５１】
さらに上記実施形態においては、取っ手部３を幅方向全域にわたって連続して形成するようにしているが、それだけに限られず、本発明においては、取っ手部３を幅方向の一部に形成するようにしても良い。この場合例えば取っ手部３を幅方向の一部に一つだけ形成するようにしても良いし、幅方向に沿って適宜間隔をおいて複数形成するようにしても良い。
【００５２】
さらに上記実施形態においては、フック部４の内側に形成される適合凹部４２を幅方向に沿って適宜間隔をおいて複数形成する場合を例に挙げて説明したが、それだけに限られず、本発明においては、適合凹部４２を幅方向の全域にわたって連続して形成するようにしても良い。
【００５３】
また上記実施形態においては、収納バスケット１を合成樹脂の一体成形品によって形成する場合を例に挙げて説明したが、それだけに限られず、本発明においては、収納バスケット１を複数の部品を組み立てて形成する組立品によって形成するようにしても良いし、樹脂以外の素材、例えば金属等によって形成するようにしても良い。
【００５４】
また上記実施形態においては、収納バスケット１における両側壁２３の上端にフランジ状の側方突出部２５が設けられているが、本発明において、側方突出部２５は必ずしも設ける必要はない。
【００５５】
また上記実施形態においては、収納バスケット１をクローゼット８に設置する場合を例に挙げて説明したが、本発明において、収納バスケット１の設置場所は特に限定されるものではなく、ロッカー、本棚、壁面収納ラック、キッチンのシンク下収納部、システムキッチンの収納部、洗面化粧台の収納部、トイレ室の内部等、どのような場所に設置するようにしても良い。例えば図８に示すようにキッチンのシンク８２の下方に設けられた収納部に、突っ張り棒９を取り付けて、その突っ張り棒９に収納バスケット１を上記と同様に掛止するようにしても良い。さらに図９に示すようにトイレ室８３の上部空間に、突っ張り棒９を取り付けて、その突っ張り棒９に収納バスケット１を上記と同様に掛止するようにしても良い。この場合には、収納バスケット１をトイレの吊り戸棚として利用することができる。
【００５６】
また上記実施形態においては、突っ張り棒９によって簡易的に形成した支持バーに収納バスケット１を掛止する場合を例に挙げて説明したが、本発明はそれだけに限られず、例えば所定位置にねじや釘等で固定された支持バーに、収納バスケット１のフック部４を掛止することによって、収納バスケット１を設置するようにしても良い。
【００５７】
また上記実施形態においては、収納バスケット１を一般家庭等で用いる場合を例に挙げて説明したが、それだけに限られず、本発明においては、収納バスケット１を各種の店舗等で用いるようにしても良い。例えば理容室や美容室で用いられるワゴンラックとして使用することができる。すなわち支持バー付きのラック本体に、その支持バーを介して本発明の収納バスケットを上記と同様に掛止して、ワゴンラックとして使用するようにすれば良い。さらに本発明の収納バスケットは、スーパーマーケット等で商品陳列用に用いられる什器としても使用することができる。すなわち支持バー付きの什器本体に、その支持バーを介して本発明の収納バスケットを上記と同様に掛止して、商品陳列用の什器として使用することもできる。この場合、１つの収納バスケット内に複数の商品等の収納物をまとめて収納して陳列することができる。このため商品を入れ替えるような場合には、バスケット単位で複数の商品をまとめて入れ替えることができるため、入れ替え作業を効率良くスムーズに行うことができる。
【００５８】
また上記実施形態等においては、収納バスケット１を支持バーを介して水平に配置する場合を例に挙げて説明したが、収納バスケット１は必ずしも水平に配置する必要はない。例えば一対の支持バー（突っ張り棒）のうち前側の支持バーを後側の支持バーよりも低く配置しておき、収納バスケット１を前方に向けて傾斜するように斜めに配置するようにしても良い。
【産業上の利用可能性】
【００５９】
この発明の収納バスケットは、収納物を収納して保管したり、陳列したりする際等に好適に用いることができる。
【符号の説明】
【００６０】
１：収納バスケット
２：バスケット本体
２０：上端開口部
２２：前後壁
３：取っ手部
３１：下方屈曲部
４：フック部
４１：補強リブ
４２：適合凹部
９：突っ張り棒
【図１】
2019081562.tif 000003
【図２】
2019081562.tif 000004
【図３】
2019081562.tif 000005
【図４】
2019081562.tif 000006
【図５】
2019081562.tif 000007
【図６】
2019081562.tif 000008
【図７】
2019081562.tif 000009
【図８】
2019081562.tif 000010
【図９】
2019081562.tif 000011
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
上端に開口部を有するボックス状のバスケット本体を備え、前記バスケット本体の前後壁の上端縁部に外方に突出するように取っ手部がそれぞれ設けられた収納バスケットであって、
前記取っ手部の先端部に、その先端部を下方に屈曲するようにして下方屈曲部が形成され、
前記下方屈曲部を含む前記取っ手部が、水平な支持バーに対して上側から掛止可能なフック部として機能するように構成され、
前記バスケット本体の前壁と後壁とが異なる高さに形成されていることを特徴とする収納バスケット。
【請求項２】
前記フック部は、前記バスケット本体の幅方向に沿って延びるように形成されている請求項１に記載の収納バスケット。
【請求項３】
前記フック部は、前記バスケット本体の幅方向のほぼ全域に連続して形成されている請求項１または２に記載の収納バスケット。
【請求項４】
前記フック部の内側には、支持バーの外周面に沿うように配置可能な円弧状の適合凹部が形成されている請求項１〜３のいずれか１項に記載の収納バスケット。
【請求項５】
前記適合凹部は、前記バスケット本体の幅方向に間隔をおいて複数形成されている請求項４に記載の収納バスケット。
【請求項６】
前記フック部の内周面に沿ってリブが形成されるとともに、
そのリブによって前記適合凹部が形成されている請求項４または５に記載の収納バスケット。
【請求項７】
請求項１〜６のいずれか１項に記載の収納バスケットが、一対の支持バーによって支持されるようにした収納バスケット支持構造であって、
前記一対の支持バーが互いに平行に前後に間隔をおいて水平に配置されるとともに、
前記収納バスケットにおける前記前後壁の各フック部が、前記一対の支持バーにそれぞれ掛止されることによって、前記収納バスケットが前記一対の支持バーに着脱自在に支持されていることを特徴とする収納バスケット支持構造。
【請求項８】
前記一対の支持バーは、突っ張り棒によって構成されている請求項７に記載の収納バスケット支持構造。
【請求項９】
前記一対の支持バーに、複数の前記収納バスケットが幅方向に並んで配置された状態でそれぞれ支持されている請求項７または８に記載の収納バスケット支持構造。